(57)【要約】【課題】本発明は、Ｑ値が高い弾性表面波共振子を提供することを目的とするものである。【解決手段】本発明の弾性表面波共振子は、対向する一対のバスバー１１と、それぞれのバスバー１１から他方のバスバー１１側へ交互に延出された複数の電極指１２を有する櫛型電極１３とを備え、前記それぞれのバスバー１１から延びる電極指１２が交差する前記櫛型電極１３の交差領域１４における外側部分の交差幅を内側部分の交差幅より小さく設定し、前記電極指１２の延伸方向に他方のバスバー１１から延出したダミー電極１５を配置するとともに、このダミー電極１５が設けられた部分をダミー領域１６とし、前記ダミー領域１６のメタライゼイションレシオを前記交差領域１４のメタライゼイションレシオより大きくしたことを特徴とするものである。【選択図】図１
2008078883.tif 000002
【特許請求の範囲】
【請求項１】
対向する一対のバスバーと、それぞれのバスバーから他方のバスバー側へ交互に延出された複数の電極指を有する櫛型電極とを備え、前記それぞれのバスバーから延びる電極指が交差する前記櫛型電極の交差領域における外側部分の交差幅を内側部分の交差幅より小さく設定し、前記電極指の延伸方向に他方のバスバーから延出したダミー電極を配置するとともに、このダミー電極が設けられた部分をダミー領域とし、前記ダミー領域のメタライゼイションレシオを前記交差領域のメタライゼイションレシオより大きくしたことを特徴とする弾性表面波共振子。
【請求項２】
ダミー領域における電極指幅をダミー電極の電極指と同じにした請求項１記載の弾性表面波共振子。
【発明の詳細な説明】
【技術分野】
【０００１】
本発明は、通信機器等に使用される弾性表面波共振子に関するものである。
【背景技術】
【０００２】
従来のこの種の弾性表面波共振子としては、図５に示すように櫛型電極１の交差幅が中央部で大きく、左右両側に行くに従って一様に小さくなるように重み付けされ、非交差領域２にダミー電極３を配置していた。
【０００３】
なお、この出願の発明に関する先行技術文献情報としては、例えば、特許文献１が知られている。
【特許文献１】特開平６−８５６０２号公報
【発明の開示】
【発明が解決しようとする課題】
【０００４】
上記した従来の弾性表面波共振子においては、交差領域と非交差領域２で電極ピッチが同じであるため、ダミー領域の反射特性におけるストップバンドの周波数に交差領域の放射コンダクタンスのピーク周波数がほぼ一致してしまい、交差領域で励振された弾性表面波がダミー領域を通過してしまう。
【０００５】
すなわち、弾性表面波が櫛型電極１の外部にもれてしまうため、弾性表面波共振子のＱ値が劣化してしまうという課題を有していた。
【０００６】
本発明は、上記従来の課題を解決するもので、弾性表面波共振子のＱ値を向上させることを目的とするものである。
【課題を解決するための手段】
【０００７】
上記目的を達成するために本発明は、以下の構成を有するものである。
【０００８】
本発明の請求項１に記載の発明は、対向する一対のバスバーと、それぞれのバスバーから他方のバスバー側へ交互に延出された複数の電極指を有する櫛型電極とを備え、前記それぞれのバスバーから延びる電極指が交差する前記櫛型電極の交差領域における外側部分の交差幅を内側部分の交差幅より小さく設定し、前記電極指の延伸方向に他方のバスバーから延出したダミー電極を配置するとともに、このダミー電極が設けられた部分をダミー領域とし、前記ダミー領域のメタライゼイションレシオを前記交差領域のメタライゼイションレシオより大きくしたことを特徴とするもので、この構成によれば、交差領域の放射コンダクタンスのピーク周波数をダミー領域の反射領域内に位置させることができるため、エネルギーの閉じ込め効果が高くなり、これにより、弾性表面波共振子のＱ値を向上させることができるという作用効果が得られるものである。
【０００９】
本発明の請求項２に記載の発明は、特に、ダミー領域における電極指幅をダミー電極の電極幅と同じにしたもので、この構成によれば、ダミー領域内でのダミー電極およびこれと隣接する電極指が同じ電極幅で且つ等ピッチで配置することができるため、より効果的にエネルギーを閉じ込めることができるため、弾性表面波共振子のＱ値をさらに向上させることができるという作用効果が得られるものである。
【発明の効果】
【００１０】
以上のように本発明の弾性表面波共振子は、ダミー領域のメタライゼイションレシオを交差領域のメタライゼイションレシオより大きくしているため、弾性表面波共振子のＱ値を向上させることができるという優れた効果を奏するものである。
【発明を実施するための最良の形態】
【００１１】
図１は本発明の一実施の形態における弾性表面波共振子を形成するインターデジタルトランスデューサ（以下、ＩＤＴと称する）のパターン図であり、このＩＤＴは圧電性基板（図示せず）上に設けられた一対のバスバー１１と、それぞれのバスバー１１から他方のバスバー１１側へ交互に延出された複数の電極指１２を有する櫛型電極１３とを備え、それぞれのバスバー１１から延びる電極指１２が交差する破線で囲まれた交差領域１４における外側部分の交差幅を内側部分の交差幅より小さく設定し、電極指１２の延伸方向に他方のバスバー１１から延出したダミー電極１５を配置したアポダイズ重み付け構成となっている。
【００１２】
なお、交差領域１４における電極指１２の電極ピッチおよび電極幅はともに一定としている。
【００１３】
そして、このＩＤＴにおいては、ダミー電極１５が設けられる部分、すなわち隣接するダミー電極１５の先端部分を結ぶ包絡線とバスバー１１で囲まれる部分をダミー領域１６とし、図２に示されるごとくダミー領域１６におけるダミー電極１５の電極幅ｔ１を対向する電極指１２の電極幅ｔ２より大きく設定しており、これによりダミー領域１６のメタライゼイションレシオを交差領域１４のメタライゼイションレシオより大きく設定している。
【００１４】
このような構成とすることで、ダミー領域１６での音速が遅くなり図３に示されるようにダミー電極１５の反射特性を周波数の低い側へシフトさせる（１７ａ→１７ｂ）ことができ、交差領域１４の放射コンダクタンス１８のピーク周波数をダミー領域１６の反射領域内に位置させることができるため、エネルギーの閉じ込め効果が高くなり、これにより、弾性表面波共振子のＱ値を向上させることができるのである。
【００１５】
さらに図４に示されるようにダミー領域１６における電極指１２の電極幅をダミー電極１５の電極幅と同じにすることで、ダミー領域１６内におけるダミー電極１５およびこれと隣接する電極指１２が同じ電極幅で且つ等ピッチで配置することができるため、より効果的にエネルギーを閉じ込めることができ、弾性表面波共振子のＱ値をさらに向上させることができる。
【産業上の利用可能性】
【００１６】
本発明に係る弾性表面波共振子は、Ｑ値が高いという効果を有するものであり、通信機器等に使用される弾性表面波共振子等において有用となるものである。
【図面の簡単な説明】
【００１７】
【図１】本発明の一実施の形態における弾性表面波共振子を構成するＩＤＴのパターン図
【図２】同ＩＤＴの部分拡大図
【図３】同ＩＤＴの周波数特性図
【図４】他の実施形態における同ＩＤＴの部分拡大図
【図５】従来の弾性表面波共振子を構成するＩＤＴのパターン図
【符号の説明】
【００１８】
１１  バスバー
１２  電極指
１３  櫛型電極
１４  交差領域
１５  ダミー電極
１６  ダミー領域
【図１】
2008078883.tif 000003
【図２】
2008078883.tif 000004
【図３】
2008078883.tif 000005
【図４】
2008078883.tif 000006
【図５】
2008078883.tif 000007